(57)【特許請求の範囲】
【請求項１】
長手方向と幅方向を有するアウターシートと、
前記アウターシートの肌面側に設けられた吸収体と、
前記アウターシートの前記幅方向の両側の肌面側に設けられたサイドシートとを有する吸収性物品であって、
前記アウターシートは、前記長手方向に折り畳まれることにより山折りと谷折りが形成されたプリーツ部を有し、前記プリーツ部は前記幅方向の両端が固定され、
前記サイドシートは、前記幅方向の内方部分に前記長手方向に延びる弾性部材が設けられ、
前記吸収体は、前記アウターシートの前記プリーツ部以外の部分に形成された固定部に固定され、前記アウターシートは、前記固定部の前記長手方向の両側に前記プリーツ部が各々設けられ、前記吸収体は、前記プリーツ部を跨いで前記アウターシートに固定されていないことを特徴とする吸収性物品。
【請求項２】
前記吸収体は、吸収性材料がシート部材で覆われて構成されている請求項１に記載の吸収性物品。
【請求項３】
前記各プリーツ部は、折り畳みを展開した状態で外面側から見て、前記固定部に近い側に山折りが形成されている請求項１または２に記載の吸収性物品。
【請求項４】
前記アウターシートは、前記プリーツ部の折り畳みを展開することにより、前記長手方向に最大で１．０５倍以上１．４０倍以下長くなるように形成されている請求項１〜３のいずれか一項に記載の吸収性物品。
【発明の詳細な説明】
【技術分野】
【０００１】
本発明は、使い捨ておむつ、尿パッド等の吸収性物品に関するものである。
【背景技術】
【０００２】
使い捨ておむつ、尿パッド等の吸収性物品は着用者の股間に当てて装着される。しかし、着用者の股間の肌面は腹部から臀部にかけて湾曲した形状を有しているため、吸収性物品は、股間の湾曲形状に合うように形成することにより、尿等の排泄物を好適に受け、横漏れを防ぐことが求められる。例えば、特許文献１には、吸収性物品の幅方向の両側と長手方向の両端部に、弾性部材が配された立体ガードが設けられ、この立体ガードの弾性収縮によりカップ状に湾曲形成される吸収性物品が開示されている。
【先行技術文献】
【特許文献】
【０００３】
【特許文献１】特開２０００−２８８０１６号公報
【発明の概要】
【発明が解決しようとする課題】
【０００４】
本発明は前記事情に鑑みてなされたものであり、その目的は、着用者の股間に合うように湾曲形成することができる吸収性物品を提供することにある。
【課題を解決するための手段】
【０００５】
前記課題を解決することができた本発明の吸収性物品とは、長手方向と幅方向を有するアウターシートと、アウターシートの肌面側に設けられた吸収体と、アウターシートの幅方向の両側の肌面側に設けられたサイドシートとを有する吸収性物品であって、アウターシートは、長手方向に折り畳まれることにより山折りと谷折りが形成されたプリーツ部を有し、プリーツ部は幅方向の両端が固定され、サイドシートは幅方向の内方部分に長手方向に延びる弾性部材が設けられ、吸収体はアウターシートのプリーツ部以外の部分に形成された固定部に固定されているところに特徴を有する。本発明の吸収性物品は、アウターシートがプリーツ部を有しているため、プリーツ部の折り畳みを展開することによりアウターシートを肌面側が内側に湾曲するように立体形成することができる。そのため、本発明の吸収性物品を着用者が着用すると、吸収性物品は着用者の肌に沿うように股間に装着され、着用者からの排泄物を好適に受けることができる。さらに、プリーツ部の折り畳みの展開度合を調整することにより、着用者に応じて湾曲形状を調節することが可能となり、着用者の股間へのフィット性を高めることができる。
【０００６】
アウターシートには、固定部の長手方向の両側に、プリーツ部が各々設けられていることが好ましい。このようにプリーツ部が設けられることにより、アウターシートが、着用者の腹側から臀部側にかけて股間に沿うように立体形成されやすくなる。
【０００７】
各プリーツ部は、固定部に近い側に山折りが形成されていることが好ましい。このようにプリーツ部が形成されていれば、湾曲形成されたアウターシートの底部がフラットに形成されやすくなり、吸収性物品を着用した状態で着用者が着座した場合、着用者の両大腿部の間で吸収性物品の収まりが良くなる。
【０００８】
アウターシートは、プリーツ部の折り畳みを展開することにより、長手方向に最大で１．０５倍以上１．４０倍以下長くなるように形成されていることが好ましい。このようにアウターシートが形成されていれば、プリーツ部の折り畳みを展開することにより、アウターシートが着用者の股間に沿うように適度に湾曲して形成されやすくなる。
【発明の効果】
【０００９】
本発明の吸収性物品は、アウターシートがプリーツ部を有しているため、プリーツ部の折り畳みを展開することによりアウターシートを肌面側が内側に湾曲するように立体形成することができる。そのため、本発明の吸収性物品を着用者が着用すると、吸収性物品は着用者の肌に沿うように股間に装着され、着用者からの排泄物を好適に受けることができる。
【図面の簡単な説明】
【００１０】
【図１】本発明の吸収性物品を外面側から見た平面図を表す。
【図２】図１に示した吸収性物品を肌面側から見た平面図を表す。
【図３】図２に示した吸収性物品のアウターシートを肌面側から見た平面図を表す。
【図４】図１に示した吸収性物品のＡ−Ａ断面図を表す。
【図５】図１に示した吸収性物品のプリーツ部を展開し、外面側から見た斜視図を表す。
【図６】図５に示した吸収性物品を肌面側から見た斜視図を表す。
【発明を実施するための形態】
【００１１】
本発明の吸収性物品について、図面を参照して説明する。なお本発明は、図面に示された実施態様に限定されるものではない。
【００１２】
図１〜図６には、本発明の吸収性物品の一例としてオープン型使い捨ておむつを示す。図１は本発明の吸収性物品を外面側から見た平面図を表し、図２は図１に示した吸収性物品を肌面側から見た平面図を表し、図３は図２に示した吸収性物品のアウターシートを肌面側から見た平面図を表し、図４は図１のＡ−Ａ断面図を表し、図５は図１に示した吸収性物品のプリーツ部を展開し、外面側から見た斜視図を表し、図６は図５に示したプリーツ部を展開した吸収性物品を肌側面から見た斜視図を表す。なお、本願の図では、矢印ｘが幅方向、矢印ｙが長手方向を表し、矢印ｘ，ｙにより形成される面に対して垂直方向が厚み方向ｚを表す。
【００１３】
本発明の吸収性物品１は、長手方向ｙと幅方向ｘを有するアウターシート２と、アウターシート２の肌面側に設けられた吸収体１３と、アウターシート２の幅方向ｘの両側の肌面側に設けられたサイドシート８とを有する。吸収性物品１を使用する際、吸収体１３は着用者の肌に面するように位置し、アウターシート２は着用者とは反対側すなわち外側に位置する。
【００１４】
本発明において、長手方向とは、吸収性物品を着用の際、着用者の股間の前後方向に延びる方向に相当し、幅方向とは、着用者の左右方向に延びる方向に相当する。肌面側とは、吸収性物品を着用する際に着用者の肌に向く側を意味し、外面側とは、着用者とは反対に向く側を意味する。
【００１５】
本発明の吸収性物品の態様としては、使い捨ておむつ、尿パッド等が挙げられる。使い捨ておむつとはパンツの代わりに着用する吸収性物品であり、例えば、後方部の左右に一対の止着部材が設けられ、当該止着部材により着用時にパンツ型に形成するオープン型使い捨ておむつであったり、前方部と後方部とが接合されることによりウェスト開口部と一対の脚開口部とが形成されたパンツ型使い捨ておむつが挙げられる。尿パッドとはパンツや使い捨ておむつ等の肌面側に載置して用いられる吸収性物品であり、一般に使い捨ておむつより大きさが小さく形成される。なかでも本発明の吸収性物品は、オープン型使い捨ておむつや尿パッドに好適に適用され、オープン型使い捨ておむつにより好適に適用される。
【００１６】
図面には吸収性物品１としてオープン型使い捨ておむつが示されており、アウターシート２の後方部の左右側端部に止着部材１０が取り付けられ、アウターシート２の前方部の外面側に、着用時に止着部材１０を留めるための止着対応部１２が設けられている。止着部材１０には、止着対応部１２と接合される止着部１１が備えられている。
【００１７】
本発明の吸収性物品１は、使用前は、図１や図２に示すようにアウターシート２が平面状に形成され、使用時には、図５や図６に示すように吸収体１３がアウターシート２とサイドシート８との間に配され、アウターシート２が長手方向ｙに肌面側が内側に湾曲するように立体形成される。そのため、本発明の吸収性物品１を着用者が着用すると、吸収性物品１は着用者の肌に沿うように股間に装着され、着用者からの排泄物を好適に受けることができるようになる。
【００１８】
アウターシート２の形状は特に限定されない。アウターシート２の形状としては、略長方形、砂時計型、ひょうたん型等が挙げられる。
【００１９】
アウターシート２は、図１〜図４に示すように、長手方向ｙに折り畳まれることにより山折り４と谷折り５が形成されたプリーツ部３を有している。そして、プリーツ部３は幅方向ｘの両端が接合部６で固定されている。具体的には、アウターシート２は、幅方向ｘの両端で、山折り４を挟んだ両側および谷折り５を挟んだ両側が接合されている。そのため、プリーツ部３の折り畳みを展開すると、図５および図６に示されるように、アウターシート２が長手方向ｙに肌面側が内側に湾曲するように立体形成される。また、プリーツ部３が幅方向ｘの両端が接合部６で固定される結果、アウターシート２は幅方向ｘにも肌面側が内側に湾曲するように立体形成され、吸収性物品１が着用者からの排泄物を好適に受けることができるようになる。接合部６は、接着剤、熱融着、超音波融着等の公知の接合手段により形成されればよい。
【００２０】
本発明において、山折り４と谷折り５はアウターシート２の外面側から見て定められるものとする。また、プリーツ部３とは、図１や図２のようにアウターシート２が平面状に形成された状態で、アウターシート２のうち、接合部６で接合された山折り４から谷折り５に至る部分およびそれと重なる部分を意味する。
【００２１】
図１では、プリーツ部３が長手方向ｙの両側に２つずつ設けられている。各プリーツ部３は、アウターシート２が長手方向ｙに折り畳まれて形成される。この際、各プリーツ部３は、少なくとも１つずつ形成された山折り４と谷折り５で折られることにより形成される。各プリーツ部３は、例えば図４に示すように、山折り４と谷折り５が１つずつ形成されてもよいし、図には示されていないが、山折り４と谷折り５が２つ以上ずつ形成されて、山折り４（あるいは谷折り５）により形成される２つ以上のひだが重なり合うように形成されてもよい。
【００２２】
山折り４と谷折り５は、長手方向ｙに並んで配される限りその延在方向は特に限定されないが、好ましくは、山折り４と谷折り５は幅方向ｘに対し略平行に形成される。また、山折り４と谷折り５は互いに同じ数だけ形成されることが好ましく、山折り４と谷折り５がそれぞれ複数形成される場合は、山折り４と谷折り５は交互に形成されることが好ましい。
【００２３】
アウターシート２は、吸収体１３が固定される固定部７を有する。このとき、アウターシート２には、図１〜図３に示すように、固定部７の長手方向ｙの両側にプリーツ部３が各々設けられていることが好ましい。このようにプリーツ部３が設けられることにより、アウターシート２が、着用者の腹側から臀部側にかけて股間に沿うように立体形成されやすくなる。
【００２４】
プリーツ部３は、アウターシート２の固定部７の長手方向ｙの両側にそれぞれ２つ以上設けられていることがより好ましい。このようにプリーツ部３が設けられていれば、プリーツ部３でアウターシート２が着用者の股間に沿うように湾曲形成されやすくなる。
【００２５】
固定部７の長手方向ｙの両側にプリーツ部３が各々設けられる場合、固定部７の長手方向ｙの両側に設けられるプリーツ部３，３間の長さ（すなわち、固定部７の長手方向ｙの一方側に設けられるプリーツ部３と他方側に設けられるプリーツ部３との間の長さ）は、アウターシート２の長手方向ｙの長さの５％以上であることが好ましく、１０％以上がより好ましく、また３５％以下が好ましく、３０％以下がより好ましい。このようにアウターシート２にプリーツ部３が設けられていれば、プリーツ部３を展開することにより、アウターシート２が着用者の股間に沿うように形成されやすくなる。
【００２６】
アウターシート２は、プリーツ部３の折り畳みを展開することにより、長手方向ｙに最大で１．０５倍以上１．４０倍以下（より好ましくは、１．１０倍以上１．３０倍以下）長くなるように形成されていることが好ましい。すなわち、プリーツ部３が展開した状態でのアウターシート２の長手方向ｙの長さが、プリーツ部３が折り畳まれた状態でのアウターシート２の長手方向ｙの長さに対し、１．０５倍以上１．４０倍以下となることが好ましい。なお、プリーツ部３が折り畳まれた状態とは、プリーツ部３が複数ある場合は、全てのプリーツ部が折り畳まれた状態を意味し、プリーツ部３が展開した状態とは、全てのプリーツ部が展開した状態を意味する。また、プリーツ部３が展開した状態でのアウターシート２の長手方向ｙの長さは、プリーツ部３の接合部６の接合を解いた状態で測定する。このようにアウターシート２が形成されていれば、プリーツ部３の折り畳みを展開することにより、アウターシート２が着用者の股間に沿うように適度に湾曲して形成されやすくなる。
【００２７】
各プリーツ部３は、固定部７に近い側に山折り４が形成されていることが好ましい。具体的には、プリーツ部３の折り畳みを展開した状態で、各プリーツ部３には、長手方向ｙに対し固定部７に近い側にまず山折り４が形成されることが好ましい。図１では、長手方向ｙに対し、固定部７に近い側にまず山折り４が設けられ、次いで、長手方向ｙの外方に谷折り５が設けられている。このようにプリーツ部３が形成されていれば、湾曲形成されたアウターシート２の底部がフラットに形成されやすくなり、吸収性物品１を着用した状態で着用者が着座した場合、着用者の両大腿部の間で吸収性物品１の収まりが良くなる。
【００２８】
アウターシート２の幅方向ｘの両側の肌面側には、図３に示すように、サイドシート８が設けられ、サイドシート８の幅方向ｘの内方部分には長手方向ｙに延びる弾性部材９が設けられている。サイドシート８は弾性部材９の収縮力によって内方端が着用者の肌に向かって立ち上がり、これによりサイドシート８は、吸収性物品１の使用時、吸収体１３を湾曲形成されたアウターシート２の内側に保持するように機能するとともに、尿等の防漏壁として機能する。また、サイドシート８に設けられた弾性部材９の収縮力により、吸収性物品１全体が長手方向ｙに肌側面が内側に湾曲するように作用を受け、その結果、アウターシート２のプリーツ部３が展開しやすくなり、アウターシート２が着用者の股間に沿うように形成されやすくなる。
【００２９】
サイドシート８は、幅方向ｘの外方部分がアウターシート２に接合し、幅方向ｘの内方部分がアウターシート２に接合していない。その結果、サイドシート８の幅方向ｘの内方部分が弾性部材９の収縮力によって立ち上がり、湾曲形成されたアウターシート２と協同して、吸収性物品１が吸収体１３を内側に収めたカップ形状に形成される。
【００３０】
サイドシート８は、長手方向ｙの端部がアウターシート２に接合していることが好ましい。このようにサイドシート８が設けられていれば、サイドシート８の幅方向ｘの内方部分が上方に立ち上がりやすくなり、吸収体１３が湾曲形成されたアウターシート２の内側に収まりやすくなるとともに、防漏壁としての機能が高まる。
【００３１】
アウターシート２の肌面側には吸収体１３が設けられている。吸収体１３は着用者から排泄された尿を吸収するものであり、吸収性物品１の使用の際、図６に示すように、吸収体１３は湾曲形成されたアウターシート２とサイドシート８の間に挿入され、保持される。すなわち、吸収体１３は、アウターシート２のプリーツ部３が折り畳まれた状態では、図１および図２に示すように、アウターシート２に重ねて扱うことができ、アウターシート２のプリーツ部３が展開された状態では、図６に示すように、湾曲形成されたアウターシート２の内側に収められて取り扱われる。
【００３２】
図１、図２、図４に示すように、吸収体１３はアウターシート２に固定部７で固定されている。固定部７は、接着剤等の固定手段により形成されればよい。固定部７はアウターシート２のプリーツ部３以外の場所に形成される。従って、吸収体１３は、プリーツ部３には固定されていない。さらに、吸収体１３は、プリーツ部３を跨いでアウターシート２に固定されていないことが好ましい。このように吸収体１３がアウターシート２に固定されていれば、吸収性物品１の着用の際、プリーツ部３の折り畳みを展開しやすくなる。
【００３３】
吸収体１３の形状は特に限定されない。吸収体１３の形状は、例えば、略長方形、砂時計型、ひょうたん型、羽子板型等が挙げられる。なお、図面には示されていないが、吸収体１３は、長手方向ｙの端縁に切欠きが形成されていてもよい。吸収体１３の長手方向ｙの端縁に切欠きが形成されていれば、プリーツ部３を展開したアウターシート２とサイドシート８の間に吸収体１３が挿入されると、吸収体１３が幅方向ｘに湾曲して形成されやすくなる。その結果、吸収体１３の着用者の肌へのフィット性が高められるとともに、吸収体１３が着用者からの排泄物を好適に受けやすくなり、横漏れが防止される。切欠きは吸収体１３の幅方向ｘの中心線（すなわち、長手方向ｙに延びる中心線）を跨ぐように形成されることが好ましく、幅方向ｘの中心線に対し線対称に形成されることがより好ましい。切欠きの形状としては、吸収体１３の長手方向ｙの端縁から内方に向かって幅方向ｘの長さが漸減するように形成されていることが好ましい。
【００３４】
吸収体１３は、アウターシート２のプリーツ部３が展開した状態で、長手方向ｙに対しアウターシート２よりも短く形成されている。すなわち、アウターシート２のプリーツ部３が展開した状態では、吸収体１３は、湾曲形成されたアウターシート２とサイドシート８の間に挿入され得るように、長手方向ｙに対しアウターシート２よりも短く形成されている。一方、吸収体１３は、アウターシート２のプリーツ部３が折り畳まれた状態では、アウターシート２よりも長手方向ｙに対し長く形成されていてもよく、短く形成されていてもよく、同じ長さで形成されていてもよい。好ましくは、吸収体１３は、アウターシート２のプリーツ部３が折り畳まれた状態で、長手方向ｙに対し、アウターシート２の９５％以上１２５％以下（より好ましくは１００％以上１２０％以下）の長さを有している。吸収体１３がアウターシート２に対しこのような関係で形成されていれば、プリーツ部３が展開されたアウターシート２の内側に吸収体１３が好適に保持されやすくなる。また、吸収体１３の大きさが十分確保され、吸収体１３によって着用者から排泄された尿が好適に吸収されるようになる。なお、プリーツ部３が折り畳まれた状態とは、プリーツ部３が複数ある場合は、全てのプリーツ部が折り畳まれた状態を意味し、プリーツ部３が展開した状態とは、全てのプリーツ部が展開した状態を意味する。プリーツ部３が展開した状態でのアウターシート２の長手方向ｙの長さは、プリーツ部３の接合部６の接合を解いた状態で測定する。吸収体１３は、幅方向ｘに対しては、アウターシート２と同じかそれよりも短く形成されていることが好ましい。
【００３５】
以上のように、本発明の吸収性物品１は、アウターシート２がプリーツ部３を有しているため、プリーツ部３の折り畳みを展開することによりアウターシート２を肌面側が内側に湾曲するように立体形成することができる。さらに、プリーツ部３の折り畳みの展開度合を調整することにより、着用者に応じて湾曲形状を調節することが可能となり、着用者の股間へのフィット性を高めることができる。そのため、本発明の吸収性物品１を着用者が着用すると、吸収性物品１は着用者の肌に沿うように股間に装着され、着用者からの排泄物を好適に受けることができるようになる。
【００３６】
本発明の吸収性物品１はまた、アウターシート２がプリーツ部３を有しているため、一般の使い捨ておむつの脚周りに設けられるような脚用弾性部材（レッグギャザー）がなくても、吸収性物品１を着用者の臀部に沿うように膨らみを持たせて立体形成することができる。例えば、サイドシート８の外方部分やそれより幅方向ｘの外方に位置するアウターシート２に脚用弾性部材が設けられなければ、着用者は脚用弾性部材の収縮力による圧迫を受けず、吸収性物品１の着用感が向上する。
【００３７】
次に、吸収性物品を構成する材料について説明する。アウターシートを構成する材料としては、不織布、織布、編布、プラスチックフィルム、およびこれらの積層体等を使用できる。アウターシートの材料として不織布、織布、編布等の布材料を用いる場合、布材料を構成する繊維としては、例えば、ポリオレフィン（例えば、ポリプロピレン、ポリエチレン）、ポリエステル（例えば、ＰＥＴ）、ポリアミド（例えば、ナイロン）等の合成繊維、セルロース、レーヨン、コットン等の天然繊維を用いればよい。アウターシートの材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。アウターシートの材料としてプラスチックフィルムを用いる場合は、例えば、ポリオレフィン（例えば、ポリプロピレン、ポリエチレン）、ポリエステル（例えば、ＰＥＴ）、ポリアミド（例えば、ナイロン）等の合成樹脂を用いればよい。アウターシートは、親水性であっても液不透過性であってもよいが、液不透過性であることが好ましい。なお、液不透過性とは撥水性の意味も含まれる。サイドシートは、アウターシートとして使用可能な材料を用いればよい。
【００３８】
吸収体は、尿等の排泄物を吸収できる吸収性材料を含むものであれば特に限定されない。吸収体としては、例えば、吸収性材料をシート部材で覆ったものを用いることができる。
【００３９】
吸収性材料としては、例えば、粉砕したパルプ繊維、セルロース繊維等の親水性繊維；ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等との親和性を高めるために、界面活性剤等により親水化処理がされていてもよい。吸収性材料は、尿等の吸収速度を高め、吸収体の保形性を高める点から、親水性繊維を含むことが好ましく、パルプ繊維を含むことがより好ましい。また、吸収容量を高める点からは、吸収性材料は吸水性樹脂を含むことが好ましい。より好ましくは、吸収体は、吸収性材料として親水性繊維と吸水性樹脂を含有する。
【００４０】
吸収性材料を覆うシート部材の少なくとも一部は液透過性である。液透過性のシート部材としては、紙（例えば、ティッシュペーパーや薄葉紙）や親水性不織布等を用いることができる。また液透過性のシート部材として、織布、編布、孔が形成されたプラスチックフィルムを用いてもよい。液透過性のシート部材は吸収体の肌面側に設けられ、吸収体の外面側にも設けられてもよい。また、吸収体の外面側には、液不透過性不織布やプラスチックフィルム等の液不透過性のシート部材が設けられてもよい。
【００４１】
吸収体は、不織布間に吸水性樹脂を有しパルプ繊維を有しないシート状吸収体を有していてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００４２】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル（例えば、ＰＥＴ）、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、またはＳＭＳ不織布を用いることが好ましい。
【００４３】
弾性部材としては、ポリウレタン糸、ポリウレタンフィルム、天然ゴム等の使い捨ておむつ等の吸収性物品に通常用いられる弾性伸縮材料が用いることができる。弾性部材は、伸張状態でホットメルト接着剤、熱接着、超音波接着等の接合手段で固定されることが好ましい。例えば、繊度１００〜２，５００ｄｔｅｘのポリウレタン糸を、倍率１．１〜５．０倍に伸張して配設し、固定する。接合手段としては、好ましくは、ゴム系のホットメルト接着剤である。
【００４４】
吸収性物品がオープン型使い捨ておむつである場合、止着部と止着対応部としては、フック・ループ・ファスナーや粘着剤等が用いることができる。例えば、止着部と止着対応部の一方にフック・ループ・ファスナーのフック部材が設けられ、他方にフック・ループ・ファスナーのループ部材が設けられる態様、止着部と止着対応部の一方に粘着剤が設けられ、他方にプラスチックフィルムが設けられる態様等が示される。ループ部材としては不織布を用いてもよく、この場合、止着部または止着対応部を不織布で構成してもよい。また、止着部と止着対応部の一方にプラスチックフィルムを設ける場合は、止着部または止着対応部をプラスチックフィルムで構成してもよい。
【符号の説明】
【００４５】
１：  吸収性物品
２：  アウターシート
３：  プリーツ部
４：  山折り
５：  谷折り
７：  固定部
８：  サイドシート
９：  弾性部材
１３：  吸収体
【図１】
0005852842.tif 000002
【図２】
0005852842.tif 000003
【図３】
0005852842.tif 000004
【図４】
0005852842.tif 000005
【図５】
0005852842.tif 000006
【図６】
0005852842.tif 000007